(57)【要約】【課題】ＤＶＤ−Ｒといった追記可能な記録媒体のファイルシステム欠陥処理方法では、記録エラーが発生した領域は、ファイルシステムによって、データの再配置を行い、さらに管理情報の書き換えが必要になるので、この欠陥処理方法のプログラムをファイルシステムに実装しなければならない。【解決手段】記録エラーが発生した領域１０２に対して、ファイルシステムが書き込みリトライを実行することで、擬似上書きを発生させて、領域１０２に記録しようとしたデータを別の領域１０３に記録するといったデータの再配置を行うことにより、ファイルシステムによるデータの再配置および管理情報領域１０１のデータの更新を行う必要がなくなり、ファイルシステムの実装が容易になる。【選択図】図１
2007242178.tif 000002
【特許請求の範囲】
【請求項１】
追記可能な記録媒体にデータを記録したとき、記録エラー発生の有無を検出する検出ステップと、前記検出ステップで記録エラー発生が検出された場合に、記録エラーが発生した領域に対して書き込みリトライを実行する第１ステップと、前記第１ステップの書き込みリトライによって記録エラーが発生した領域に記録しようとしていたデータを別の領域に記録させるという擬似上書きを発生させてデータ再配置を行う第２ステップとを有することを特徴とするファイルシステム欠陥処理方法。
【請求項２】
請求項１に記載の方法を実行するファイルシステム欠陥処理装置。
【請求項３】
請求項１に記載の方法を実行するプログラム
【請求項４】
請求項１に記載のプログラムを記録した媒体。
【請求項５】
請求項１に記載のファイルシステム欠陥処理方法によって記録されることを特徴とする追記可能な記録媒体。
【発明の詳細な説明】
【技術分野】
【０００１】
本発明は、ＢＤ−Ｒ（Ｂｌｕ−ｒａｙ  Ｄｉｓｃ  Ｒｅｃｏｒｄａｂｌｅ）といった追記可能な記録媒体に対して、擬似上書きを実行することによってデータ再配置を行うファイルシステム欠陥処理方法、装置、プログラム、及び媒体に関するものである。
【背景技術】
【０００２】
ＤＶＤ−Ｒといった追記可能な記録媒体は、記録済みの領域への上書きが不可能であり、
データ記録時の欠陥処理は、後で述べる欠陥処理方法のプログラムが実装されたファイルシステムによって実行される。ＤＶＤ−Ｒといった追記可能な記録媒体におけるファイルシステムによる欠陥処理方法について、図４を用いて説明する。図４は、ＤＶＤ−Ｒといった追記可能な記録媒体におけるファイルシステム欠陥処理方法を説明するためのデータ配置図である。図４において、４０１は管理情報領域、４０２はデータ記録でエラーが発生した領域、４０３はデータ再配置時に更新された管理情報領域、４０４は４０２で記録エラーとなったデータをファイルシステムによって記録された領域である。領域４０２にデータを記録しようとしたとき、何らかの原因で記録エラーとなった場合、ファイルシステムが管理情報領域４０１のデータを更新するが、ＤＶＤ−Ｒのような追記可能な記録媒体の場合は、管理情報領域４０１の中で上書きすることが不可能なため、別の領域４０３で書き換える（例えば、特許文献１参照）。管理情報領域４０３に管理情報のデータを書き換えることで、データ記録エラーが発生した領域４０２に記録しようとしたデータを、別の領域４０４に記録する。
【０００３】
ところで、ＢＤ−Ｒといった追記可能な記録媒体は、擬似上書きという機能によって、ＤＶＤ−Ｒでは不可能だった記録済みの領域への上書きを実現している。具体的には、ＢＤ−Ｒ記録に対応した記録再生装置に、ＢＤ−Ｒといった追記可能な記録媒体を装着して記録済みの領域のデータを上書きしようとした場合、記録再生装置がそのデータを別の領域に記録するようにすることによって、擬似上書きを実現し、データの上書きが可能になる（例えば、非特許文献１参照）。
【特許文献１】特開平９−４４３１８号公報
【非特許文献１】ＯＳＴＡ（Ｏｐｔｉｃａｌ  Ｓｔｏｒａｇｅ  Ｔｅｃｈｎｏｌｏｇｙ  Ａｓｓｏｃｉａｔｉｏｎ）“Ｕｎｉｖｅｒｓａｌ  Ｄｉｓｃ  Ｆｏｒｍａｔ  Ｓｐｅｃｉｆｉｃａｔｉｏｎ  Ｒｅｖｉｓｉｏｎ２．６０”、  ２００５年１月２６日
【発明の開示】
【発明が解決しようとする課題】
【０００４】
解決しようとする問題点は、データ記録時の欠陥処理方法として、何らかの原因で記録できなかった領域は、ファイルシステムによるデータの再配置を行い、さらに管理情報の書き換えが必要になるため、ファイルシステムがデータの再配置用および管理情報の更新用の領域を確保しなければならないので、この欠陥処理方法を実行するプログラムをファイルシステムに実装しなければならない。
【課題を解決するための手段】
【０００５】
本発明は、何らかの原因で記録できなかった領域に対して、ファイルシステムが書き込みリトライを実行することで、擬似上書きを発生させて、記録できなかったデータを再度記録することを最も主要な特徴とする。
【発明の効果】
【０００６】
本発明のファイルシステム欠陥処理方法は、擬似上書きによるデータの再配置を行うことにより、前記ＤＶＤ−Ｒのファイルシステム欠陥処理方法で行っていたファイルシステムによるデータの再配置と管理情報の書き換えが不要になるため、ファイルシステムの実装が容易になる利点がある。
【発明を実施するための最良の形態】
【０００７】
以下、本発明を実施するための最良の形態について、図面を参照しながら説明する。
【０００８】
（実施の形態）
図１は、本発明のファイルシステム欠陥処理方法の実施の形態における追記可能な記録媒体のデータの配置図である。図１において、１０１は管理情報領域、１０２はデータ記録でエラーとなった領域、１０３は領域１０２に記録しようとしたデータを擬似上書きによって再配置された領域である。図２は、本発明のファイルシステム欠陥処理方法の実施の形態におけるファイルシステム欠陥処理方法の動作を説明するためのフローチャートである。図３は、本発明の実施の形態におけるファイルシステム欠陥処理装置の構成図である。
【０００９】
以下に、図１から図３を用いて本発明の動作を説明する。図３において、ファイルシステム固有処理部３００が追記型記録媒体３０３にデータ記録を実行すると、書き込み処理部３０１は領域１０２にデータを記録するステップＳ２０１と、記録再生装置からデータ記録の結果が返されることによって領域１０２にデータ記録が正常に実行されたかを判定するステップＳ２０２を実行する。
【００１０】
ステップＳ２０２で書き込み処理部３０１が記録再生装置からデータを正常に記録できなかったという結果を受信して、データ記録エラーと判定された場合、書き込みリトライ処理部３０２によって、データ記録エラーが発生した領域１０２に再度データを記録するといった書き込みリトライを実行するステップＳ２０３と、擬似上書きを発生させて領域１０２に記録しようとしたデータを領域１０３に記録するステップＳ２０４が実行される。
【００１１】
ステップＳ２０４では、ファイルシステムによって記録エラーが発生した領域１０２に再度記録しようとするといった書き込みリトライを実行すると、記録再生装置は記録エラーが発生した領域１０２に記録しようとしたデータが、上書きデータとして別の領域１０３に記録されるようにした擬似上書きを実行する。
【００１２】
欠陥処理を擬似上書きで実行することによって、データの再配置は記録再生装置によって行われるため、ＤＶＤ−Ｒでは必要だったファイルシステムによる管理情報領域１０１のデータ書き換えの必要がなくなる。
【産業上の利用可能性】
【００１３】
本発明にかかるファイルシステム欠陥処理方法は、何らかの原因で記録できなかった領域に対して、ファイルシステムが書き込みリトライを実行することで、擬似上書きを発生させてデータを再配置するため、ファイルシステムによるデータの再配置および管理情報の書き換えが不要になることで、ファイルシステムの実装が容易になるので、追記可能な記録媒体のファイルシステム欠陥処理として有用である。
【図面の簡単な説明】
【００１４】
【図１】本発明の実施の形態に於ける欠陥処理時のデータの配置図
【図２】本発明の実施の形態に於けるファイルシステム欠陥処理方法のフローチャート
【図３】本発明の実施の形態に於けるファイルシステム欠陥処理装置の構成図
【図４】ＤＶＤ−Ｒのファイルシステム欠陥処理におけるデータの配置図
【符号の説明】
【００１５】
１０１    ファイルなどの管理情報領域
１０２    データ記録エラーが発生した領域
１０３    擬似上書きによってデータ記録が行われた領域
３００    ファイルシステム固有処理部
３０１    書き込み処理部
３０２    書き込みリトライ処理部
３０３    追記型記録媒体
【図１】
2007242178.tif 000003
【図２】
2007242178.tif 000004
【図３】
2007242178.tif 000005
【図４】
2007242178.tif 000006